(57)【要約】【課題】  燃料電池の運転停止時に燃料電池内に空気や不純物が侵入することを防止し、燃料電池特性の劣化を防ぎ、安定的な発電が可能な燃料電池及び燃料電池スタックを提供する。【解決手段】  燃料が供給されるアノードと、空気が供給され空気が溜まるカソード空間を有するカソードと、アノードとカソードに挟持される固体高分子電解質膜と、カソード空間に空気を取り込む空気取り込み部と、カソード蓋体とを有し、カソード蓋体が移動することにより、燃料電池の運転時に空気取り込み部を開放し空気取り込み部からカソード空間に空気を取り込む第１状態と、燃料電池の運転停止時に空気取り込み部を塞ぐとともにカソード空間を燃料電池の運転時のカソード空間よりも小さくする第２状態との、いずれか一方の状態を他方の状態に切り替える。【選択図】  図３
2010055884.tif 000002
【特許請求の範囲】
【請求項１】
燃料と空気中の酸素とが反応することにより発電する燃料電池であって、
前記燃料が供給されるアノードと、
前記空気が供給され、前記空気が溜まるカソード空間を有するカソードと、
前記アノードと前記カソードとに挟持される固体高分子電解質膜と、
前記カソード空間に前記空気を取り込む空気取り込み部と、
カソード蓋体と、を有し、
前記カソード蓋体が移動することにより、
前記燃料電池の運転時に前記空気取り込み部を開放し前記空気取り込み部から前記カソード空間に前記空気を取り込む第１状態と、前記燃料電池の運転停止時に前記空気取り込み部を塞ぐとともに前記カソード空間を前記燃料電池の運転時の前記カソード空間よりも小さくする第２状態との、いずれか一方を他方に切り替えることを特徴とする燃料電池。
【請求項２】
前記第１状態から前記第２状態に切り替わった場合に、前記カソードに存在する気体を前記カソード外に排出する弁を有することを特徴とする請求項１に記載の燃料電池。
【請求項３】
前記カソードに液体を供給する液体供給源を有し、
前記第１状態から前記第２状態に切り替わった場合に、前記カソードに前記液体供給源より前記液体を供給することにより、前記カソードを前記空気から遮断することを特徴とする請求項１あるいは２に記載の燃料電池。
【請求項４】
前記液体供給源から前記カソードに供給される前記液体は、前記燃料電池の運転時に前記燃料電池において発生した水であることを特徴とする請求項３に記載の燃料電池。
【請求項５】
前記カソードと前記アノードとを接続する酸素消費回路と、
前記第１状態から前記第２状態に切り替わった場合に、前記酸素消費回路を電気的に切断された状態から接続された状態とする接続制御部と、を有し、
前記接続制御部により前記酸素消費回路が電気的に接続された状態となった場合に、前記アノードに存在する前記燃料と前記カソードに存在する前記酸素とにより発電し、前記カソードに存在する前記酸素を消費することを特徴とする請求項１あるいは２に記載の燃料電池。
【請求項６】
前記カソードに存在する気体を前記カソード外へ吸い出す気体排出機構を有することを特徴とする請求項１乃至請求項５のいずれかに記載の燃料電池。
【請求項７】
請求項１乃至請求項６のいずれかに記載の前記燃料電池を複数有し、
一の前記燃料電池が有する前記カソード蓋体は、前記一の燃料電池の前記カソード側に隣接する二の前記燃料電池が有する前記アノードの外壁であり、前記アノードの外壁により前記一の燃料電池の前記第１状態と前記第２状態のいずれか一方の状態を他方の状態に切り替えることを特徴とする燃料電池スタック。
【発明の詳細な説明】
【技術分野】
【０００１】
本発明は、燃料と空気中の酸素とが反応することにより発電する燃料電池及び燃料電池を複数有する燃料電池スタックに関するものである。
【背景技術】
【０００２】
燃料電池は、燃料の持つ化学エネルギーを電気エネルギーに変換できる高効率でクリーンな発電装置として近年注目されている。アノードに供給される燃料とカソードに供給される空気中の酸素により電気を取り出すことができるため、環境に悪影響を与える物質の排出を低減できる。また、エネルギーのロスが少なく、小型で効率良く発電することが可能である。
【０００３】
一方、燃料電池はカソードに酸素を与えることにより発電する。カソードを空気と接した状態に保つことにより、カソードに酸素を与えることが広く行われている。しかしながら、カソードが常に空気に接している状態だと、燃料電池の運転停止時においても燃料電池内に空気が取り込まれ、且つ、不純物が侵入する可能性がある。その結果、空気や不純物によりカソード内が腐食する等により、燃料電池特性の劣化が生じてしまう。そこで、燃料電池の運転停止時における空気や不純物の侵入を低減し電池特性の劣化を防ぐために、空気吸入口及び反応ガス排出口を蓋体によって密閉し、空気から遮断することが提案されている（例えば、特許文献１）。
【０００４】
しかしながら、特許文献１に記載の構成では、蓋体によって空気との遮断を行っているため空気吸入口及び反応ガス排出口との間の空隙が大きく、空隙に存在する気体の量も多い。燃料電池を長時間放置した場合、アノード空間とカソード空間に存在する気体の分圧が同一になるように電解質膜を通してアノード空間に存在する気体はカソード空間へ、カソード空間に存在する気体はアノード空間へ移動する。したがって、アノード空間に燃料以外の気体が、カソード空間に燃料が侵入してしまう。
【０００５】
そこで、蓋体と空気入口との間の空隙を小さくし上述のような気体の移動を低減するために、燃料電池の空気入口に連通する空気供給路を覆蓋するように空気供給口に遮断膜を貼り付け、燃料電池内への空気や不純物等の侵入を防止することが提案されている（例えば、特許文献２）。
【０００６】
また、カソード空間に存在する酸素を消費するために、アノードから改質ガスを供給して燃料電池から電力を取り出すことで、カソードに存在する酸素を電気化学反応により消費することが提案されている（例えば、特許文献３〜５）。
【特許文献１】特開平５−１９０１９６号公報
【特許文献２】特開平９−２２３５１１号公報
【特許文献３】特開２００８−１４０７７２号公報
【特許文献４】特開２００５−１５８５５７号公報
【特許文献５】特開２００２−９３４４８号公報
【発明の開示】
【発明が解決しようとする課題】
【０００７】
しかしながら、特許文献２に記載の構成では、空気供給路内に空気が存在し、且つ、燃料電池のカソード空間にも空気等の気体が存在する。燃料電池を運転停止の状態で放置すると、カソード空間からアノード空間へ空気が移動するため、安定した発電に必要な高い水素分圧を確保するためには高圧の水素を供給しなければならない。また、アノード空間に酸素が存在している状態でアノードに水素を供給すると、アノードの触媒層が激しい劣化を起こす。そのため特許文献2に記載の構成では、長時間の運転停止後にアノードに水素を供給するとアノードの触媒層の劣化を引き起こし、燃料電池特性の劣化を十分に防ぐことはできない。また、特許文献３〜５に記載の構成では、カソードに存在する酸素を除去することはできてもその他の気体を除去することはできず、固体高分子膜を通してそれらの気体がアノード空間に侵入し燃料電池の安定動作を阻害してしまう。
【０００８】
また、特にポンプやファン等の補機類を用いないパッシブ型の燃料電池においては、充分な酸素供給量を確保するために広いカソード空間が必要になる。しかしながらカソード空間の広さは燃料電池の大型化の大きな要因となるため、可搬性・携帯性という観点を考慮すると、カソード空間はできるだけ狭いことが好ましい。
【０００９】
そこで、本発明は上記の点に鑑みてなされたものであり、燃料電池の運転停止時に燃料電池内に空気や不純物が侵入することを防止し、燃料電池特性の劣化を防ぎ、安定的な発電が可能であるともに、燃料電池内への空気や不純物の侵入を防止する際に小型であり可搬性に優れる燃料電池及び燃料電池スタックを提供することを目的とする。
【課題を解決するための手段】
【００１０】
上記課題を解決するための、本発明の第１の特徴は、燃料と空気中の酸素とが反応することにより発電する燃料電池であって、燃料が供給されるアノードと、空気が供給され、空気が溜まるカソード空間を有するカソードと、アノードとカソードとに挟持される固体高分子電解質膜と、カソード空間に空気を取り込む空気取り込み部と、カソード蓋体と、を有し、カソード蓋体が移動することにより、燃料電池の運転時に空気取り込み部を開放し空気取り込み部からカソード空間に空気を取り込む第１状態と、燃料電池の運転停止時に記空気取り込み部を塞ぐとともにカソード空間を燃料電池の運転時のカソード空間よりも小さくする第２状態との、いずれか一方を他方に切り替えることを要旨とする。
【００１１】
かかる特徴によれば、燃料電池の運転停止時に空気取り込み部を塞ぎ、燃料電池の運転時よりもカソード空間を小さくすることができる。これにより、カソード空間がより小さい状態でカソード全体を外部の空気から遮断することができるため、カソード空間に存在する気体を低減することができるとともに、燃料電池を小型化することができる。また、燃料電池を運転停止の状態で放置した場合であっても、カソード空間に外部から気体が取り込まれることはなく、アノード空間とカソード空間にそれぞれ存在する気体が相互に移動しあう可能性も低減される。したがって、アノード及びカソードに不純物が存在する可能性が低減し、燃料電池特性の劣化を十分に防止し、安定した動作をすることができる。
【００１２】
本発明の第２の特徴は、本発明の第１の特徴に記載の燃料電池において、第１状態から第２状態に切り替わった場合に、カソードに存在する気体をカソード外に排出し弁を有することを要旨とする。
【００１３】
かかる特徴によれば、燃料電池の運転停止時に空気取り込み部を塞いだ場合に、カソード空間に存在する気体をカソード外に排出することができ、カソードの内部圧力が高圧になることがない。したがって、カソード空間からアノード空間に移動する気体を低減することができる。また、外部圧力との圧力差が小さく、燃料電池の運転再開時に外部からの衝撃等が加えられても燃料電池の構成部材が破壊されることを防止できる。
【００１４】
本発明の第３の特徴は、本発明の第１の特徴あるいは第２の特徴に記載の燃料電池であって、カソードに液体を供給する液体供給源を有し、第１状態から第２状態に切り替わった場合に、カソードに液体供給源より液体を供給することにより、カソードを空気から遮断することを要旨とする。
【００１５】
かかる特徴によれば、燃料電池の運転停止時に空気取り込み部を塞いだ場合に、カソード空間が液体で満たされるため、カソード空間を空気から十分に遮断することができる。したがって、燃料電池特性の劣化を十分に防止できる。
【００１６】
本発明の第４の特徴は、本発明の第３の特徴に記載の燃料電池であって、液体供給源からカソードに供給される液体は、燃料電池の運転時に燃料電池において発生した水であることを要旨とする。
【００１７】
かかる特徴によれば、燃料電池の運転時に燃料電池において発生した水を外部に排出することができるとともに、燃料電池の運転停止時には燃料電池の運転時に外部に排出した水をカソード内に供給することができる。したがって、燃料電池の運転時には燃料電池において発生した水により燃料電池の発電が阻害されることはない。且つ、燃料電池の運転停止時にはカソード空間に水を供給することができるため、カソード空間を空気から十分に遮断することができ、燃料電池特性の劣化を有効に防止することができる。
【００１８】
本発明の第５の特徴は、本発明の第１の特徴あるいは第２の特徴に記載の燃料電池であって、カソードとアノードとを接続する酸素消費回路と、第１状態から第２状態に切り替わった場合に、酸素消費回路を電気的に切断された状態から接続された状態とする接続制御部と、を有し、接続制御部により酸素消費回路が電気的に接続された状態となった場合に、アノードに存在する燃料とカソードに存在する酸素とにより発電し、カソードに存在する酸素を消費することを要旨とする。
【００１９】
かかる特徴によれば、燃料電池の運転停止時にカソード空間に存在する酸素を消費することができる。したがって、カソード空間に存在する酸素によるカソードの触媒層の劣化を抑制することができるとともに、カソード空間からアノード空間へ酸素が移動することによりアノードの触媒層が劣化することを抑制することもでき、燃料電池特性の劣化を効果的に防止することができる。
【００２０】
本発明の第６の特徴は、本発明の第１の特徴乃至第５の特徴のいずれかに記載の燃料電池であって、カソードに存在する気体をカソード外へ吸い出す気体排出機構を有することを要旨とする。
【００２１】
かかる特徴によれば、燃料電池の運転停止時に、気体排出機構によりカソード内に存在する気体を吸引し外部に排出することができる。したがって、燃料電池の運転停止時におけるカソードの劣化を防止でき、燃料電池特性の劣化を十分に防ぐことができる。また、燃料電池を運転停止の状態で放置した後運転を再開する前に、アノード空間より移動したてきた水素を気体排出機構により吸引し外部に排出することもできる。したがって、燃料電池の運転再開時にカソード内に供給された空気中の酸素とカソード内に存在する水素が反応し、その反応熱により、燃料電池が劣化する恐れがなく、安定的に燃料電池を起動することができる。
【００２２】
本発明の第７の特徴は、本発明の第１の特徴乃至第６の特徴のいずれかに記載の燃料電池を複数有し、一の燃料電池が有するカソード蓋体は、一の燃料電池のカソード側に隣接する二の燃料電池が有するアノードの外壁であり、アノードの外壁により一の燃料電池の第１状態と第２状態のいずれか一方の状態を他方の状態に切り替えることを要旨とする。
【００２３】
かかる特徴によれば、燃料電池の運転停止時に、隣接する燃料電池のアノード外壁により空気取り込み部を塞ぐ、つまり、隣接する燃料電池のアノード外壁がカソード蓋体の機能を有するため、別途カソード蓋体を設ける必要がなく、燃料電池スタック全体を小型化することができる。
【発明の効果】
【００２４】
本発明によれば、燃料電池の運転停止時にカソード内を外部から遮断することにより燃料電池内に空気や不純物が侵入することを防止することができるとともに、カソード内に存在する気体を除去することができるため、燃料電池の安定的な発電を維持することができる。また、燃料電池内への空気や不純物の侵入を防止した際に、小型で可搬性に優れる燃料電池及び燃料電池スタックとすることができる。
【発明を実施するための最良の形態】
【００２５】
（実施の形態１）
図１に本実施形態１における燃料電池１０の概略構成図を示す。図２は本実施形態１における燃料電池１０の運転時の断面図、図３は燃料電池１０の運転停止時の断面図を示す。
【００２６】
図１〜図３に示すように、燃料電池１０は、アノード外壁１１と、カソード枠１２と、固体高分子電解質膜１５と、固体高分子電解質膜１５の両側にそれぞれ配置された集電板１３a、１３ｂ及びガス拡散層（ＧＤＬ）１４ａ、１４ｂと、空気取り込み部１６とを有する。アノード外壁１１、アノード側集電板１３ａ、アノード側ＧＤＬ１４ａ、及びこれらに囲まれるアノード空間によりアノードが構成され、カソード枠１２、カソード側集電板１３ｂ、カソード側ＧＤＬ１４ｂ、外部から空気を取り込む空気取り込み部１６、及び、カソード枠１２の内壁とカソード側集電板１３ｂにより囲まれ、空気取り込み部１６から取り込まれた空気が溜まるカソード空間Ａによりカソードが構成されている。アノード空間を外部から遮断するため、アノード外壁１１と固体高分子電解質膜１５は図示しない密閉手段により密閉されている。
【００２７】
密閉手段としては、シリコンゴム、フッ素ゴム、二トリルゴム等の樹脂製ガスケットや、接着剤、液状ガスケット等があげられる。
【００２８】
アノード外壁１１には燃料供給路２１が設けられ、燃料供給路２１には燃料供給源２０が接続されている。燃料供給路２１には、燃料の過剰な供給を防止するための弁等が設けられていてもよい。
【００２９】
カソード枠１２の内壁には、移動可能なカソード蓋体１０１が設けられている。カソード蓋体１０１を図１で示す※の方向から見た図を図１４に、図１４の点線に沿った断面図を図１５、図１６に示す。空気取り込み部１６を開放しカソード空間Ａに空気を取り込む第1状態（図１５）と、空気取り込み部１６を塞ぐとともにカソード空間Ａを小さくする第２状態（図１６）の、いずれか一方を他方に切り替えるためにカソード蓋体１０１を移動させる機構の一例について説明する。尚、カソード蓋体１０１を移動させることができれば、この機構に限られるものではない。
【００３０】
図１４に示すように、カソード蓋体１０１は突出部１０１ａを有し、カソード枠１２はガイド１２ａを有する。突出部１０１ａがガイド１２ａに沿って移動することにより、上述の第１状態から第２状態へ、あるいは第２状態から第１状態へ切り替えることができる。
【００３１】
まず、図１５で示す第１状態から図１６で示す第２状態へ切り替える機構について説明する。
【００３２】
カソード枠１２はストッパー１２ｂ、ストッパー１２ｃを有する。図１５に示すように、第１状態では、カソード蓋体１０１はストッパー１２ｂにより支えられている。燃料電池１０の運転が停止すると、カソード蓋体１０１は図１５及び図１６で示す上から下の方向へ、つまり、ストッパー１２ｂからストッパー１２ｃの方向に押圧される。ストッパー１２ｂはばねを有するため、カソード蓋体１０１が押圧されることによりばねが縮む状態となり、カソード蓋対１０１はストッパー１２ｃの方向へ移動することができ、図１６で示す第２状態となる。第２状態となると、カソード蓋体１０１はストッパー１２ｃにより下の方向へ押さえ込まれるため、下から上へ、つまり、ストッパー１２ｂの方向へ移動することはなく、空気取り込み部１６を塞ぐとともにカソード空間Ａを小さくする状態を保つことができる。
【００３３】
第２状態から第１状態へ切り替える場合には、ストッパー１２ｃの突起部１２０ｃを図１６で示す左から右の方向へ引っ張ることにより、カソード蓋体１０１を下から上の方向へ移動させることができる。
【００３４】
以上のように、第１状態から第２状態のいずれか一方を他方に切り替えることが可能である。
【００３５】
また、カソード蓋体１０１は、燃料電池１０の運転停止時にカソード枠１２から外れる構成であってもよい。
【００３６】
燃料電池１０の運転時には、図２に示す第１状態、つまり、空気取り込み部１６を開放し、カソード空間Ａに空気を取り込む状態である。空気取り込み部１６よりカソード空間Ａに取り込まれた空気中の酸素と、燃料供給源２０より燃料供給路２１を通りアノード空間に供給された燃料とにより燃料電池１０は発電する。本発明では、燃料として水素ガスを用いたが、燃料は水素ガスに限られるものではなく、メタノール、エタノール、水素化ホウ素ナトリウム水溶液等の溶液であってもよい。また、燃料供給源２０として、水素発生器、高圧水素ボンベ、液体燃料供給機、水素吸蔵合金等があげられる。これらは、ポンプやファン等の補機類を用いるアクティブ型でも、補機類を用いないパッシブ型でもよいが、発電で得られた電力を使用する機器に有効に利用できる事からパッシブ型であることが好ましい。以後、アノード空間に供給される燃料として水素をあげて説明する。
【００３７】
燃料電池１０の運転停止時には、図３に示す第２状態、つまり、空気取り込み部１６を塞ぐとともにカソード空間Ａを燃料電池１０の運転時のカソード空間よりも小さくする状態となる。これにより、カソード空間Ａはより小さくなり、外部から遮断されるとともに、カソード空間Ａに存在する気体の量は燃料電池１０の運転時よりも少なくなる。尚、カソード空間Ａをより密閉するために、カソード蓋体１０１にはカソード密閉部１０２が設けられていてもよい。カソード密閉部１０２の具体例としては、ニトリルゴム、シリコンゴム、金属等のガスケットが挙げられる。
【００３８】
これにより、燃料電池１０を運転停止の状態で放置した場合であってもカソード空間Ａに外部から空気が取り込まれることはない。また、カソード空間Ａとアノード空間に存在する気体の分圧が同一となるようにカソード空間Ａからアノード空間へ、アノード空間からカソード空間Ａへ気体が移動した場合であっても、カソード空間Ａに最初に存在していた気体の量が少ないため、カソード空間Ａよりアノード空間へ侵入する気体の量は低減される。カソード空間Ａの容積が小さいため、アノード空間からカソード空間Ａへ侵入する気体の量も低減される。したがって、カソード空間Ａとアノード空間を相互に移動する気体の量は低減され、小さな体積で燃料電池の安定した発電を実現することができる。また、運転停止時に燃料電池内部に存在する気体の量が少ないため、運転再開時に内部の気体を排出する手間を低減することもできる。
（実施の形態２）
図４に本実施形態２における燃料電池１０の運転停止時の断面図を示す。
【００３９】
本実施形態１と同一の部分については同一の符号を付し、同様な構成、動作については説明を省略する。
【００４０】
本実施形態２では、本実施形態１における燃料電池１０の運転停止時の構成（図３参照）に、さらに弁１０３を設けた点で本実施形態１と異なる。弁１０３により、カソード空間Ａの気体をカソード外へ排出することができる。図４では弁１０３はカソード蓋体１０１に設けられているが、カソード空間Ａに存在する気体を外部に排出することができれば、弁１０３はカソード枠１２等のカソード蓋体１０１以外の部分に設けられてもよい。
【００４１】
燃料電池１０の運転停止時に、カソード蓋体１０１を移動させ空気取り込み部１６を塞ぐ。空気取り込み部１６を塞いだ後に、カソード空間Ａの容積を小さくするためにさらにカソード蓋体１０１を移動させると、カソード空間Ａに存在する気体は加圧され、カソードの内部圧力は高圧となってしまう。そこで、本実施形態２のように弁１０３によりカソード空間Ａに存在する気体をカソード外に排出すると、カソード蓋体１０１の移動により空気取り込み部１６を塞いだ後さらにカソード空間Ａの容積を小さくした場合であっても、カソードの内部圧力が高圧になることはない。
【００４２】
また、弁１０３によりカソード空間Ａに存在する気体がカソード外に排出されているため、燃料電池１０を運転停止の状態で放置した場合であっても、カソード空間Ａからアノード空間へ移動する気体の量も低減される。
【００４３】
弁１０３を開状態とするタイミングは、カソードの内部圧力が高圧になることを防ぐことができれば、カソード蓋体１０１が移動する前であっても、カソード蓋体１０１が移動し空気取り込み部１６を塞いだ後であっても、いつでも構わない。また、本実施形態２では、弁１０３として逆止弁を用いたが、電磁バルブや手動バルブ等であってもよい。
【００４４】
これにより、燃料電池１０の運転停止時に弁によりカソード空間Ａに存在する気体をカソード外に排出することができるため、カソード空間Ａからアノード空間に移動する気体を低減することができる。また、カソードの内部圧力が高圧となることがなく、燃料電池１０の運転再開時に衝撃により燃料電池１０が破壊されることを防ぐことができる。
（実施の形態３）
図５に本実施形態３における燃料電池１０の運転停止時の断面図を示す。
【００４５】
本実施形態２と同一の部分については同一の符号を付し、同様な構成、動作については説明を省略する。
【００４６】
本実施形態３では、本実施形態２における燃料電池１０の運転停止時の構成（図４参照）に、さらに液体供給源３０、液体供給路３１を設けた点で本実施形態２と異なる。液体供給源３０より供給された液体は液体供給路３１を通りカソード空間Ａへ供給される。
【００４７】
燃料電池１０の運転停止時に、カソード蓋体１０１が移動することにより空気取り込み部１６を塞ぐ。そして、カソード空間Ａを空気から遮断するために、カソード空間Ａに液体供給路３１を介し液体供給源３０より液体を供給する。液体を供給する方法としてはポンプを用いてもよいが、液体供給源３０とカソード空間Ａの圧力差を用いて液体供給源３０からカソード空間Ａへ液体を供給する等、電力を消費しない方法がより好ましい。
【００４８】
具体的には、液体供給路３１には液体供給弁３３が設けられており、液体供給源３０内を初期状態において大気圧よりも高圧に保つ。カソード蓋体１０１が空気取り込み部１６  を塞いだ後、弁１０３を開状態としカソード空間Ａを減圧し、大気圧とする。液体供給源３０内の圧力はカソード空間Ａの圧力よりも高くなるため、液体供給弁３３を開状態とすると、液体供給源３０に存在する液体はカソード空間Ａに供給される。尚、カソード蓋体１０１を移動させカソード空間を遮断した際に、カソードの内部圧力がカソード内に液体を供給することができる圧力であれば、弁１０３は設けられていなくても構わない。
【００４９】
これにより、燃料電池１０の運転停止時にカソード空間Ａを空気より遮断することができ、燃料電池の安定した発電を実現することができる。
（実施の形態３の変更例１）
本実施形態３の変更例１においては、液体供給源３０よりカソード空間Ａに供給する液体として、燃料電池１０の運転時にカソードで発生した水を用いる。カソードで発生した水を液体供給源３０に補給する液体補給路３２をさらに設けた点で、本実施形態３と異なる。
【００５０】
図６に本実施形態３の変更例１における燃料電池１０の運転停止時の断面図を示す。
【００５１】
本実施形態３と同一の部分については同一の符号を付し、同様な構成、動作については説明を省略する。
【００５２】
本実施形態３の変更例１においては、一端がカソード空間Ａに接続され、他端が液体供給源３０に接続された液体補給路３２を有する。燃料電池１０の運転時にカソードで発生した水は液体補給路３２を介し液体供給源３０に補給される。燃料電池１０が運転停止状態となりカソード蓋体１０１が移動し空気取り込み部１６を塞いだ後、液体供給源３０に補給された水は液体供給路３１を介しカソード空間Ａへ供給される。よって、カソード空間Ａを空気から遮断することができる。液体補給路３２及び液体供給路３１により水を補給、供給する際には、ポンプ等を用いてもよいが、カソード空間Ａと液体供給源３０内の圧力差を用いて液体を移動させる等、電力を消費しない方法がより好ましい。
【００５３】
具体的には、燃料電池１０の運転時にカソードにおいて水が発生し滞留する。弁１０３を閉じた状態でカソード蓋体１０１を移動させ空気取り込み部１６を塞ぐとカソード空間Ａの圧力は上昇し、液体供給源３０内の圧力よりも高くなると、カソード空間Ａに存在していた水は液体供給源３０に移動する。
【００５４】
そして、弁１０３を開状態とし、カソード空間Ａの圧力は減少し、液体供給源３０内の圧力の方がカソード空間Ａの圧力よりも大きくなると、液体供給源３０に存在している水はカソード空間Ａに供給される。
【００５５】
したがって、燃料電池１０の運転停止時にカソード空間Ａを水で満たし、カソード空間Ａを空気から遮断することができる。水の逆流を防止するため、液体補給路３２及び液体供給源３０には弁を設けてもよい。本構成では、液体供給路３１と液体補給路３２を個々の構成として記載したが、これらは同一であってもよく、一つの流路が液体を補給する機能と供給する機能を合わせもっていてもよい。
【００５６】
これにより、燃料電池１０の運転時にカソードにおいて発生した水を除去できるとともに、燃料電池１０の運転停止時にカソード空間Ａを空気から遮断することができるため、燃料電池の安定した発電をより効果的に実現できる。
（実施の形態３の変更例２）
本実施形態３の変更例２においては、液体供給源３０よりカソード空間Ａに供給する液体として、燃料電池１０の運転時にアノードで発生した水を用いる。アノードで発生した水を液体供給源３０に補給する液体補給路３２をさらに設けた点で、本実施形態３と異なる。
【００５７】
図７に本実施形態３の変更例２における燃料電池１０の運転停止時の断面図を示す。
【００５８】
本実施形態３と同一の部分については同一の符号を付し、同様な構成、動作については説明を省略する。
【００５９】
本実施形態３の変更例２においては、一端がアノード空間に接続され、他端が液体供給源３０に接続された液体補給路３２を有する。燃料電池１０の運転時にアノードで発生した水を、液体補給路３２を介し液体供給源３０に補給することができる。液体供給源３０に補給された水は、燃料電池１０の運転停止時にカソード空間Ａに供給される。
【００６０】
尚、燃料電池１０の運転時にアノードで発生した水を液体補給路３２を介し液体供給源３０に補給する際に、アノード空間に存在する水素が液体供給源３０を介しカソード空間Ａに供給されることを防ぐため、液体供給源３０あるいは液体供給路３１に液体供給弁３３を設けることが好ましい。また、燃料電池１０の運転停止時にカソード空間Ａに水を供給する際にアノード空間にも水を供給されることを防ぐために、液体補給路３２あるいは液体供給源３０に液体補給弁３４を設けることが好ましい。
【００６１】
続いて、液体補給路３２及び液体供給路３１により水を補給、供給する工程について説明する。
【００６２】
燃料電池１０の運転時には、液体供給弁３３は閉状態、液体補給弁３４は開状態であり、アノードで発生した水は液体補給路３２を介し液体供給源３０に補給される。カソード蓋体１０１が移動し空気取り込み部１６を塞ぐ。そして、液体供給弁３３は開状態、液体補給弁３４は閉状態となり、液体供給源３０に補給された水は液体供給路３１を介しカソード空間Ａへ供給される。よって、カソード空間Ａは水で満たされ空気から遮断される。
【００６３】
液体補給路３２及び液体供給路３１により水を補給、供給する際には、ポンプ等を用いてもよいが、電力を消費しない方法がより好ましい。
【００６４】
具体的には、燃料供給源２０よりアノード空間にさらに燃料を供給することによりアノード空間の圧力を液体供給源３０内の圧力より高めると、アノード空間から液体補給路３２を介し液体供給源３０へ水が補給される。また、弁１０３を開状態とすることによりカソード空間Ａを減圧し、液体供給源３０の内圧をカソードの内圧よりも高くすると、液体供給源３０より液体供給路３１を介しカソード空間に水は供給される。これは一例にすぎないが、このように、電力の消費を伴わずに水の補給、供給を行うことが好ましい。
【００６５】
これにより、燃料電池１０の運転時にアノードで発生した水を除去できるとともに、燃料電池１０の運転停止時にカソード空間を空気から遮断することができるため、燃料電池の安定した発電を実現に役立てることできる。
（実施の形態３の変更例３）
本実施形態３の変更例３においては、液体供給源３０よりカソード空間Ａに供給する液体として、燃料電池１０の運転時にカソード及びアノードで発生した水を用いる。アノードで発生した水を液体供給源３０に補給する液体補給路３２、液体補給路３２に液体補給弁３４を設け、液体供給源３０は、カソードから水を補給される空間３０ａとアノードから水を補給される空間３０ｂを有する点で、本実施形態３と異なる。カソードで発生した水を液体供給源３０に補給するために液体供給路３１を用いてもよいし、別途、液体補給路を設けてもよい。カソード空間Ａとアノード空間に存在する気体が液体供給源３０を介し相互に移動することを防ぐため、空間３０ａと空間３０ｂを隔離する液体隔離弁３５を設けることが好ましい。
【００６６】
図８に本実施形態３の変更例３における燃料電池１０の運転停止時の断面図を示す。
【００６７】
本実施形態３と同一の部分については同一の符号を付し、同様な構成、動作については説明を省略する。
【００６８】
本実施形態３の変更例３においては、燃料電池１０の運転時は、液体隔離弁３５を閉状態とすることにより空間ａと空間ｂを隔離した状態とし、液体供給弁３３及び液体補給弁３４を開状態とすることによりカソードで発生した水を空間３０ａへ、アノードで発生した水を空間３０ｂへ補給することができる。燃料電池１０が運転停止状態となりカソード蓋体１０１が移動し空気取り込み部１６が塞がれると、液体補給弁３４は閉状態に、液体隔離弁３５及び液体供給弁３３は開状態となる。よって、液体供給源３０にカソード及びアノードより補給された水は、液体供給路３１を介しカソード空間Ａへ供給され、カソード空間Ａは水で満たされ空気から遮断される。
【００６９】
尚、本実施形態６の変更例３において水を補給、供給する方法としては、上述の変更例１、変更例２に記載の方法である、圧力差を用いた方法を適用することができる。
【００７０】
これにより、燃料電池１０の運転時にカソード及びアノードで発生した水を除去できるとともに、当該水を用いて燃料電池１０の運転停止時にカソード空間Ａを空気から遮断することができるため、燃料電池特性の劣化をより効果的に抑制でき、安定的な燃料電池を提供することができる。
（実施の形態４）
図９に本実施形態４における燃料電池１０の運転停止時の断面図を示す。
【００７１】
本実施形態１と同一の部分については同一の符号を付し、同様な構成、動作については説明を省略する。
【００７２】
本実施形態４では、本実施形態１における燃料電池１０の運転停止時の構成（図３参照）に、さらに酸素消費回路と、接続制御部４４を設けた点で本実施形態１と異なる。酸素消費回路は、外部抵抗４１を有しカソード及びアノードに接続された外部回路４２と、酸素消費回路の電気的接続状態のオン・オフを切り替えるスイッチ４３を備える。接続制御部４４は、カソード蓋体１０１により空気取り込み部１６が塞がれた状態を検知する機能と、スイッチ４３のオン・オフを切り替える機能と、カソードとアノード間の電圧を測定する機能を有する。
【００７３】
燃料電池１０の運転が停止すると、カソード蓋体１０１が移動することにより空気取り込み部１６を塞ぐ。この状態は、例えば、接続制御部４４が圧力伝達部４６によりカソード空間Ａに設けられた図示しない圧力測定器と接続され、圧力測定器により伝達されるカソード空間Ａの圧力が上昇し始めると空気取り込み部１６が塞がれたと判断することができるが、空気取り込み部１６が塞がれたことを検知することができれば、これに限らない。
【００７４】
空気取り込み部１６が塞がれたと判断すると、接続制御部４４は信号線４５を介し酸素消費回路に信号を送り、スイッチ４３をオフ状態からオン状態に切り替え、カソードとアノードを電気的に接続状態とする。電気的に接続状態となると、カソード空間Ａに存在する酸素とアノード空間に存在する水素とにより発電し、カソード空間Ａに存在する酸素を消費する。
【００７５】
酸素を消費している間、接続制御部４４によりカソードとアノード間の電圧を測定する。酸素が消費され、接続制御部４４により測定されるカソードとアノード間の電圧が閾値（０．０１Ｖが好ましい）以下となると、接続制御部４４は酸素消費回路４２のスイッチ４３をオン状態からオフ状態に切り替え、カソードとアノードを電気的に非接続状態とする。
【００７６】
ここで、酸素の消費に用いられる水素は、燃料電池の運転停止時にアノード空間にはじめから存在していた水素でもよいし、アノード空間にはじめから存在していた水素では十分にカソード空間Ａに存在する酸素を消費することができなければ、アノード空間にさらに水素を供給しても構わない。
【００７７】
尚、本実施形態４においてはカソード枠１２及びアノード外壁１１は導電性物質で構成されているため、外部回路４２をカソード枠１２及びアノード外壁１１へ接続しスイッチ４３をオン状態に切り替えればカソードとアノードを電気的に接続状態とすることができる。カソード枠１２及びアノード外壁１１が導電性物質でなければ、外部回路４２をカソード側集電板１３ｂ及びアノード側集電板１３ａに直接接続すればよい。
【００７８】
これにより、燃料電池１０の運転停止時にカソード空間Ａに存在する気体のうち、特にカソード及びアノードの触媒層の劣化の要因となる酸素を除去することができるため、燃料電池特性の劣化を効果的に防止することができる。
（実施の形態５）
図１０に本実施形態５における燃料電池１０の運転停止時の断面図を示す。
【００７９】
本実施形態１と同一の部分については同一の符号を付し、同様な構成、動作については説明を省略する。
【００８０】
本実施形態５では、本実施形態１における燃料電池１０の運転停止時の構成（図３参照）に、さらに気体排出機構５０、排出路５１を設けた点で本実施形態１と異なる。排出路５１の一端はカソード空間Ａに接続され、他端は気体排出機構５０に接続されている。気体排出機構５０としては、ポンプ等が挙げられ、これにより、カソード空間Ａの気体を吸引し収容することができる。
【００８１】
燃料電池１０の運転停止時に、カソード蓋体１０１が移動することにより空気取り込み部１６を塞ぐ。そして、気体排出機構５０により排出路５１を介し、カソード空間Ａに存在する気体を吸引しカソード空間Ａより排出する。尚、気体排出機構５０に吸引された気体のカソード空間Ａへの逆流を防止するため、排出路５１に排出弁５２を設けてもよい。
【００８２】
これにより、燃料電池１０の運転停止時に、効果的にカソード空間Ａに存在する気体を外部に排出することができるため、より安定した燃料電池の発電を実現することができる。
（実施の形態５の変更例）
本実施形態５では、燃料電池１０の運転停止後に気体排出機構５０によりカソード空間Ａに存在する気体を吸引し排出していた。
【００８３】
本実施形態５の変更例では、燃料電池１０を運転停止の状態で放置した後運転を再開する前に、カソード空間Ａに存在する気体を吸引し排出する点で本実施形態５と異なる。
【００８４】
カソード蓋体１０１により空気取り込み部１６を塞ぎ、燃料電池１０を運転停止の状態で放置すると、空気取り込み部１６を塞がずに放置した場合と比べ、カソード空間Ａからアノード空間へ移動する気体の量は減少する。アノード空間からカソード空間Ａへ移動する水素の量も同様に減少するものの、カソード空間Ａへの水素の侵入を完全に抑制することはできず、燃料電池１０の運転再開の際にはカソード空間Ａに水素が存在する。カソード空間Ａに水素が存在する状態で燃料電池の運転を再開しカソード空間Ａに空気が供給されると、水素と空気中の酸素が反応し、その反応熱により燃料電池１０、特に、固体高分子電解質膜１５を劣化してしまう恐れがある。
【００８５】
そこで、本実施形態５の変更例では、燃料電池１０の運転を再開する前のカソード蓋体１０１が移動し空気取り込み部１６が開放され、カソード空間Ａと外気が連通する前に排出路５１を介して気体排出機構５０によりカソード空間Ａに存在する水素を吸引し排出する。
【００８６】
これにより、燃料電池１０の運転再開時にカソード空間Ａにおいて水素と酸素が反応し反応熱が発生することはなく、燃料電池１０が劣化する恐れも低減される。したがって、燃料電池１０を安定的に起動させることができる。
【００８７】
尚、気体排出機構５０が、燃料電池１０の運転停止後にカソード空間Ａより気体を吸引し排出する機能と、燃料電池１０の運転再開前にカソード空間Ａより気体を吸引し排出する機能のうち、どちらか一方の機能のみを有しいてもよいし、両方の機能を有していてもよい。両方の機能を有する場合は、水素を吸引する前に、気体排出機構５０内に存在する酸素を導出路５３より除去し、気体排出機構５０内での水素と酸素との反応を抑制するとよい。また、これらの機能を有する気体排出機構を、個々に設けても構わない。
（実施の形態６）
図１１に、本実施形態６における、燃料電池１０を複数積層し燃料電池スタックを形成した際の、燃料電池スタックの運転停止時の断面図を示す。図１２は燃料電池スタックの運転時の概略構成図、図１３は燃料電池スタックの運転停止時の概略構成図を示す。燃料電池１０は、図１１においては２個、図１２、１３においては３個積層されているが、積層される燃料電池の個数はこれに限定されるものではなく、何個であってもよい。
【００８８】
本実施形態１と同一の部分については同一の符号を付し、同様な構成、動作については説明を省略する。
【００８９】
本実施形態６において、複数存在する燃料電池１０のアノード空間には、それぞれ燃料供給源２０より燃料供給路２１、２２を通り水素が供給される。
【００９０】
図１２、１３に示すように、カソード蓋体１１ａは隣接する燃料電池１０のアノード外壁によって形成されている。カソード側が他の燃料電池１０と隣接していない末端の燃料電池１０は、本実施形態１と同様のカソード蓋体１０１を有する。また、燃料電池１０の運転時にアノード外壁であるカソード蓋体１１ａが空気取り込み部１６を開放しカソード空間Ａに空気を取り込む第１状態と、燃料電池１０の運転停止時に空気取り込み部１６を塞ぐとともにカソード空間Ａを燃料電池１０の運転時よりも小さくする第２状態との、いずれか一方を他方に切り替えるために、支持部１０５、１０６が用いられる。
【００９１】
具体的には、支持部１０５、１０６は、それぞれの略中点部分で固定部材１０７により回動可能に支持されている。この固定部材１０７は、アノード外壁が第１状態あるいは第２状態が保持される程度に支持部１０５、１０６を締め付けている。
【００９２】
支持部１０５の一端は、突出片１０５ａにより、カソード枠１２の開口部に燃料電池スタックの伸縮方向と直交する方向にスライド可能に支持される。他端は、カソード蓋体（アノード外壁）１１ａに回動可能に支持されている。
【００９３】
一方、支持部１０６も支持部１０５と同様の構成であり、突出片１０６ａを有しており、一端は突出片１０６ａによりカソード蓋体（アノード外壁）１１ａの開口部に燃料電池スタックの伸縮方向と直交する方向にスライド可能に支持され、他端はカソード枠１２に回動可能に支持される。
【００９４】
続いて、燃料電池スタックが運転状態から運転停止状態となり、隣接するアノード外壁により形成されるカソード蓋体１１ａによって空気取り込み部１６を塞ぐ工程（図１２から図１３となる工程）について具体例を用いて説明する。
【００９５】
支持部１０５、１０６は、角θをなすように回動可能に支持されている。図１２に示す燃料電池スタックの運転状態から運転停止状態となると、角θが小さくなるように突出片１０５ａはカソード枠１２の開口部をスライドし、突出片１０６ａはカソード蓋体１１ａの開口部をスライドする。これにより、燃料電池スタックは図１３で示す状態となり、空気取り込み部１６塞ぐとともにカソード空間Ａを小さくし、燃料電池スタック全体を小型化することができる。
【００９６】
また、燃料電池スタックの運転停止状態から運転を再開する場合は、角θが大きくなるように突出片１０５ａはカソード枠１２の開口部をスライドし、突出片１０６ａはカソード蓋体１１ａの開口部をスライドする。よって、空気取り込み部１６を開放し、カソード空間Ａに空気を取り込むことにより、運転を再開することができる。
【００９７】
尚、隣接するアノード外壁により形成されるカソード蓋体１１ａによって空気取り込み部１６を塞ぎカソード空間Ａを小さくすることができれば、上述の構成に限られることはない。
【００９８】
本実施形態６によれば、燃料供給源２０からの水素の供給を停止し燃料電池スタックの運転を停止した場合に、隣接する燃料電池１０のアノード外壁がカソード蓋体の機能も果たすことができ、カソード蓋体を別途設ける必要がないため、燃料電池スタック全体を小型化することができる。
【００９９】
以上、本発明の一例を説明したが、具体例を説明したに過ぎない。特に本発明を限定するものではなく、各部の具体的構成等は適宜変更可能である。また、各実施の形態及び変更例の作用効果は、本発明から生じる最も好適な作用及び効果を列挙したに過ぎず、本発明による作用及び効果は、各実施の形態及び変更例に記載されたものに限定されるものではない。
【図面の簡単な説明】
【０１００】
【図１】本実施形態１における燃料電池１０の概略構成図
【図２】本実施形態１における燃料電池１０の運転時の断面図、
【図３】本実施形態１における燃料電池１０の運転停止時の断面図
【図４】本実施形態２における燃料電池１０の運転停止時の断面図
【図５】本実施形態３における燃料電池１０の運転停止時の断面図
【図６】本実施形態３の変更例１における燃料電池１０の運転停止時の断面図
【図７】本実施形態３の変更例２における燃料電池１０の運転停止時の断面図
【図８】本実施形態３の変更例３における燃料電池１０の運転停止時の断面図
【図９】本実施形態４における燃料電池１０の運転停止時の断面図
【図１０】本実施形態５における燃料電池１０の運転停止時の断面図
【図１１】本実施形態６における燃料電池１０が複数積層された燃料電池スタックの運転停止時の断面図
【図１２】本実施形態６における燃料電池スタックの運転時の概略構成図
【図１３】本実施形態６における燃料電池スタックの運転停止時の概略構成図
【図１４】カソード蓋体１０１の上面図
【図１５】燃料電池１０の運転時の断面図
【図１６】燃料電池１０の運転停止時の断面図
【符号の説明】
【０１０１】
１０：燃料電池
１１：アノード外壁
１２：カソード枠
１２ａ：ガイド
１２ｂ、１２ｃ：ストッパー
１２０ｃ：突起部
１３ａ、１３ｂ：集電板
１４ａ、１４ｂ：ガス拡散層（ＧＤＬ）
１５：固体高分子電解質膜
１６：空気取り込み部
２０：燃料供給源
２１：燃料供給路
２２：燃料供給路
１０１：カソード蓋体
１０１ａ：突出部
１０２：カソード密閉部
１０３：弁
３０：液体供給源
３０ａ：カソードから水を補給される空間
３１ｂ：アノードから水を補給される空間
３１：液体供給路
３２：液体補給路
３３：液体供給弁
３４：液体補給弁
３５：液体隔離弁
４１：外部抵抗
４２：外部回路
４３：スイッチ
４４：接続制御部
４５：信号線
５０：気体排出機構
５１：排出路
５２：排出弁
５３：導出路
１１ａ：アノード外壁により形成されるカソード蓋体
１０５：支持部
１０５ａ：突出片
１０６：支持部
１０６ａ：突出片
１０７：固定部材
Ａ：カソード空間
【図１】
2010055884.tif 000003
【図２】
2010055884.tif 000004
【図３】
2010055884.tif 000005
【図４】
2010055884.tif 000006
【図５】
2010055884.tif 000007
【図６】
2010055884.tif 000008
【図７】
2010055884.tif 000009
【図８】
2010055884.tif 000010
【図９】
2010055884.tif 000011
【図１０】
2010055884.tif 000012
【図１１】
2010055884.tif 000013
【図１２】
2010055884.tif 000014
【図１３】
2010055884.tif 000015
【図１４】
2010055884.tif 000016
【図１５】
2010055884.tif 000017
【図１６】
2010055884.tif 000018